(57)【特許請求の範囲】
【請求項１】
四つの異なる空気の流通経路を切り換えるための切換装置（200）と、
吸着剤を空気と接触させるための吸着素子（81,82）、及び空気を加熱するための加熱器（92）を有して、第１空気中の水分を上記吸着素子（81,82）に吸着させる吸着動作、及び上記加熱器（92）により加熱された第２空気で上記吸着素子（81,82）を再生する再生動作を行う調湿装置（150）とを備え、
吸着動作により減湿された第１空気を室内へ供給する除湿運転と、再生動作により加湿された第２空気を室内へ供給する加湿運転とが切り換え可能な調湿システムであって、
上記調湿装置（150）は、上記吸着素子（81,82）及び上記加熱器（92）が内部に収容されるケーシング（10）を備え、
上記調湿装置（150）のケーシング（10）には、第１空気を吸い込むための第１吸込口（13）と、吸着動作により減湿された第１空気を吹き出すための第１吹出口（14）と、第２空気を吸い込むための第２吸込口（15）と、再生動作により加湿された第２空気を吹き出すための第２吹出口（16）とが設けられる一方、
上記切換装置（200）は、
上記調湿装置（150）のケーシング（10）とは別体の中空の箱状に形成されて空気の流入口（221,…）と空気の流出口（225,…）とが四つずつ開口するケーシング（210）と、第１状態と第２状態を相互に切り換えるために上記ケーシング（210）内を移動する切換部材（230,…）とを備え、
上記第１状態では、第１流入口（221）が第１流出口（225）と、第２流入口（222）が第２流出口（226）と、第３流入口（223）が第３流出口（227）と、第４流入口（224）が第４流出口（228）とそれぞれ連通し、
上記第２状態では、第１流入口（221）が第３流出口（227）と、第２流入口（222）が第４流出口（228）と、第３流入口（223）が第１流出口（225）と、第４流入口（224）が第２流出口（226）とそれぞれ連通するように構成され、
第１流入口（221）及び第４流出口（228）が室外と、第３流入口（223）及び第２流出口（226）が室内と、第１流出口（225）が上記調湿装置（150）の第１吸込口（13）と、第２流入口（222）が上記調湿装置（150）の第１吹出口（14）と、第３流出口（227）が上記調湿装置（150）の第２吸込口（15）と、第４流入口（224）が上記調湿装置（150）の第２吹出口（16）とそれぞれ連通されている調湿システム。
【請求項２】
請求項１に記載の調湿システムにおいて、
上記切換装置（200）のケーシング（210）は、直方体状に形成されると共に、その四つの側面だけに流入口（221,…）又は流出口（225,…）が開口している調湿システム。
【請求項３】
請求項１に記載の調湿システムにおいて、
上記切換装置（200）のケーシング（210）は、直方体状に形成されると共に、その四つの側面のそれぞれに流入口（221,…）と流出口（225,…）が一つずつ開口している調湿システム。
【請求項４】
請求項１に記載の調湿システムにおいて、
上記切換装置（200）のケーシング（210）は、直方体状に形成されると共に、その三つの側面だけに流入口（221,…）又は流出口（225,…）が開口している調湿システム。
【請求項５】
請求項１に記載の調湿システムにおいて、
上記切換装置（200）のケーシング（210）は、直方体状に形成されると共に、その二つの側面だけに流入口（221,…）又は流出口（225,…）が開口している調湿システム。
【請求項６】
請求項１に記載の調湿システムにおいて、
上記切換装置（200）のケーシング（210）は、直方体状に形成されると共に、その一つの側面だけに流入口（221,…）又は流出口（225,…）が開口している調湿システム。
【請求項７】
請求項１に記載の調湿システムにおいて、
上記切換装置（200）のケーシング（210）は、直方体状に形成され、
切換部材（230）は、上記ケーシング（210）内に一つ設置されて回転移動するように構成される一方、
上記ケーシング（210）の四つの側面のうち、第１の側面には第１流入口（221）及び第４流出口（228）が、第２の側面には第２流入口（222）及び第３流出口（227）が、第３の側面には第３流入口（223）及び第２流出口（226）が、第４の側面には第４流入口（224）及び第１流出口（225）がそれぞれ開口し、
上記切換部材（230）の回転移動によって第１状態と第２状態とが相互に切り換えられる調湿システム。
【請求項８】
請求項１に記載の調湿システムにおいて、
上記切換装置（200）のケーシング（210）は、直方体状に形成され、
切換部材（240,245）は、上記ケーシング（210）内に二つ設置されると共に、それぞれが回転移動するように構成される一方、
上記ケーシング（210）の側面のうち互いに対向する二つの側面には、その一方に第１流入口（221）と第２流入口（222）と第３流出口（227）と第４流出口（228）とが開口して、他方に第３流入口（223）と第４流入口（224）と第１流出口（225）と第２流出口（226）とが開口し、
第１流入口（221）が第１流出口（225）と連通して第３流入口（223）が第３流出口（227）と連通する状態と、第１流入口（221）が第３流出口（227）と連通して第３流入口（223）が第１流出口（225）と連通する状態とは、第１切換部材（240）の回転移動によって切り換えられ、
第２流入口（222）が第２流出口（226）と連通して第４流入口（224）が第４流出口（228）と連通する状態と、第２流入口（222）が第４流出口（228）と連通して第４流入口（224）が第２流出口（226）と連通する状態とは、第２切換部材（245）の回転移動によって切り換えられる調湿システム。
【請求項９】
請求項２記載の調湿システムにおいて、
上記切換装置（200）のケーシング（210）の内部は、第１流出口（225）が常に連通すると共に第１流入口（221）及び第３流入口（223）が連通可能な第１空間（213）と、第４流入口（224）が常に連通すると共に第２流出口（226）及び第４流出口（228）が連通可能な第２空間（214）とに区画され、
切換部材（251,252）は、上記第１空間（213）と第２空間（214）とに一つずつ設置されると共に、それぞれが上記ケーシング（210）の内側面に沿って移動するように構成され、
第３流入口（223）が第３流出口（227）と連通して第１流入口（221）が第１空間（213）と連通する状態と、第１流入口（221）が第３流出口（227）と連通して第３流入口（223）が第１空間（213）と連通する状態とは、上記第１空間（213）の第１切換部材（251）によって切り換えられ、
第２流入口（222）が第２流出口（226）と連通して第４流出口（228）が第２空間（214）と連通する状態と、第２流入口（222）が第４流出口（228）と連通して第２流出口（226）が第２空間（214）と連通する状態とは、上記第２空間（214）の第２切換部材（252）によって切り換えられる調湿システム。
【発明の詳細な説明】
【０００１】
【発明の属する技術分野】
本発明は、換気用の給排気ダクト等の途中に設けられて空気の流通経路を切り換える切換装置、及びこの切換装置を備える調湿装置に関するものである。
【０００２】
【従来の技術】
従来より、特開平９−３２９３７１号公報に開示されているように、換気用の給気に温調や調湿といった処理を施す調湿装置が知られている。この調湿装置には、吸着剤を備えるデシカントロータと、冷凍サイクルを行う空調機とが設けられている。そして、この調湿装置は、取り込んだ室外空気を減湿して室内へ供給する運転を行う。
【０００３】
具体的に、この調湿装置において、取り込まれた室外空気は、デシカントロータで減湿されてから空調機の蒸発器で冷却され、その後に室内へ供給される。一方、取り込まれた室内空気は、空調機の凝縮器で加熱されてからデシカントロータの再生に利用され、その後に室外へ排出される。
【０００４】
このように、上述した従来の調湿装置では、四つの異なる空気が流入出する。つまり、この調湿装置へは、排気される室内空気と、給気される室外空気とが流入する。また、この調湿装置からは、減湿されて湿度の低下した室外空気と、再生に利用されて湿度の上昇した室内空気とが流出する。
【０００５】
【発明が解決しようとする課題】
上述した従来の調湿装置では、室外空気を減湿して室内へ供給する除湿運転だけを行っているが、この調湿装置において空気の流通経路を変更すれば、室外空気を加湿して室内へ供給する加湿運転も可能である。つまり、取り込んだ室外空気を加熱してからデシカントロータへ送り、この室外空気をデシカントロータから脱離した水蒸気で加湿してから室内へ供給することも不可能ではない。
【０００６】
上記従来の調湿装置を用いて除湿運転と加湿運転の両方を可能とするには、四つの異なる空気（即ち、排気される室内空気、給気される室外空気、減湿された空気、及び加湿された空気）の流通経路を切り換えることが必要となる。そして、デシカントロータや空調機を収納するケーシングの内部に、四つの異なる空気の通路や、これら空気の流通経路を切り換えるためのダンパ等をも収納することとすると、調湿装置が極めて大型化するおそれがある。そして、調湿装置が大型化すると、その設置場所等の制約が厳しくなり、調湿装置の使い勝手が悪くなるといった問題がある。
【０００７】
また、調湿装置のユーザーは、その全員が除湿運転と加湿運転の切り換えを臨んでいるとも限らない。このため、全ての調湿装置で除湿運転と加湿運転を切り換え可能としてしまうと、何れか一方の運転だけを必要とするユーザーには、不要な機能を持った調湿装置の購入を強いる結果となってしまう。
【０００８】
このような背景から、調湿装置とは別体に形成されて空気の流通経路の切り換えだけを行い、調湿装置と組み合わされることで除湿運転と加湿運転の切り換えを可能とする切換装置の出現が望まれていた。
【０００９】
本発明は、かかる点に鑑みてなされたものであり、その目的とするところは、調湿装置と組み合わされて除加湿を切り換え可能とするのに適した切換装置を提供し、併せて切換装置を用いた調湿システムを提供することにある。
【００１０】
【課題を解決するための手段】
第１の発明は、四つの異なる空気の流通経路を切り換えるための切換装置（200）と、吸着剤を空気と接触させるための吸着素子（81,82）、及び空気を加熱するための加熱器（92）を有して、第１空気中の水分を上記吸着素子（81,82）に吸着させる吸着動作、及び上記加熱器（92）により加熱された第２空気で上記吸着素子（81,82）を再生する再生動作を行う調湿装置（150）とを備え、吸着動作により減湿された第１空気を室内へ供給する除湿運転と、再生動作により加湿された第２空気を室内へ供給する加湿運転とが切り換え可能な調湿システムを対象としている。そして、上記調湿装置（150）は、上記吸着素子（81,82）及び上記加熱器（92）が内部に収容されるケーシング（10）を備え、上記調湿装置（150）のケーシング（10）には、第１空気を吸い込むための第１吸込口（13）と、吸着動作により減湿された第１空気を吹き出すための第１吹出口（14）と、第２空気を吸い込むための第２吸込口（15）と、再生動作により加湿された第２空気を吹き出すための第２吹出口（16）とが設けられる一方、上記切換装置（200）は、上記調湿装置（150）のケーシング（10）とは別体の中空の箱状に形成されて空気の流入口（221,…）と空気の流出口（225,…）とが四つずつ開口するケーシング（210）と、第１状態と第２状態を相互に切り換えるために上記ケーシング（210）内を移動する切換部材（230,…）とを備え、上記第１状態では、第１流入口（221）が第１流出口（225）と、第２流入口（222）が第２流出口（226）と、第３流入口（223）が第３流出口（227）と、第４流入口（224）が第４流出口（228）とそれぞれ連通し、上記第２状態では、第１流入口（221）が第３流出口（227）と、第２流入口（222）が第４流出口（228）と、第３流入口（223）が第１流出口（225）と、第４流入口（224）が第２流出口（226）とそれぞれ連通するように構成され、第１流入口（221）及び第４流出口（228）が室外と、第３流入口（223）及び第２流出口（226）が室内と、第１流出口（225）が上記調湿装置（150）の第１吸込口（13）と、第２流入口（222）が上記調湿装置（150）の第１吹出口（14）と、第３流出口（227）が上記調湿装置（150）の第２吸込口（15）と、第４流入口（224）が上記調湿装置（150）の第２吹出口（16）とそれぞれ連通されているものである。
【００１１】
第２の発明は、上記第１の発明において、上記切換装置（200）のケーシング（210）は、直方体状に形成されると共に、その四つの側面だけに流入口（221,…）又は流出口（225,…）が開口しているものである。
【００１２】
第３の発明は、上記第１の発明において、上記切換装置（200）のケーシング（210）は、直方体状に形成されると共に、その四つの側面のそれぞれに流入口（221,…）と流出口（225,…）が一つずつ開口しているものである。
【００１３】
第４の発明は、上記第１の発明において、上記切換装置（200）のケーシング（210）は、直方体状に形成されると共に、その三つの側面だけに流入口（221,…）又は流出口（225,…）が開口しているものである。
【００１４】
第５の発明は、上記第１の発明において、上記切換装置（200）のケーシング（210）は、直方体状に形成されると共に、その二つの側面だけに流入口（221,…）又は流出口（225,…）が開口しているものである。
【００１５】
第６の発明は、上記第１の発明において、上記切換装置（200）のケーシング（210）は、直方体状に形成されると共に、その一つの側面だけに流入口（221,…）又は流出口（225,…）が開口しているものである。
【００１６】
第７の発明は、上記第１の発明において、上記切換装置（200）のケーシング（210）は、直方体状に形成され、切換部材（230）は、上記ケーシング（210）内に一つ設置されて回転移動するように構成される一方、上記ケーシング（210）の四つの側面のうち、第１の側面には第１流入口（221）及び第４流出口（228）が、第２の側面には第２流入口（222）及び第３流出口（227）が、第３の側面には第３流入口（223）及び第２流出口（226）が、第４の側面には第４流入口（224）及び第１流出口（225）がそれぞれ開口し、上記切換部材（230）の回転移動によって第１状態と第２状態とが相互に切り換えられるものである。
【００１７】
第８の発明は、上記第１の発明において、上記切換装置（200）のケーシング（210）は、直方体状に形成され、切換部材（240,245）は、上記ケーシング（210）内に二つ設置されると共に、それぞれが回転移動するように構成される一方、上記ケーシング（210）の側面のうち互いに対向する二つの側面には、その一方に第１流入口（221）と第２流入口（222）と第３流出口（227）と第４流出口（228）とが開口して、他方に第３流入口（223）と第４流入口（224）と第１流出口（225）と第２流出口（226）とが開口し、第１流入口（221）が第１流出口（225）と連通して第３流入口（223）が第３流出口（227）と連通する状態と、第１流入口（221）が第３流出口（227）と連通して第３流入口（223）が第１流出口（225）と連通する状態とは、第１切換部材（240）の回転移動によって切り換えられ、第２流入口（222）が第２流出口（226）と連通して第４流入口（224）が第４流出口（228）と連通する状態と、第２流入口（222）が第４流出口（228）と連通して第４流入口（224）が第２流出口（226）と連通する状態とは、第２切換部材（245）の回転移動によって切り換えられるものである。
【００１８】
第９の発明は、上記第１の発明において、上記切換装置（200）のケーシング（210）の内部は、第１流出口（225）が常に連通すると共に第１流入口（221）及び第３流入口（223）が連通可能な第１空間（213）と、第４流入口（224）が常に連通すると共に第２流出口（226）及び第４流出口（228）が連通可能な第２空間（214）とに区画され、切換部材（251,252）は、上記第１空間（213）と第２空間（214）とに一つずつ設置されると共に、それぞれが上記ケーシング（210）の内側面に沿って移動するように構成され、第３流入口（223）が第３流出口（227）と連通して第１流入口（221）が第１空間（213）と連通する状態と、第１流入口（221）が第３流出口（227）と連通して第３流入口（223）が第１空間（213）と連通する状態とは、上記第１空間（213）の第１切換部材（251）によって切り換えられ、第２流入口（222）が第２流出口（226）と連通して第４流出口（228）が第２空間（214）と連通する状態と、第２流入口（222）が第４流出口（228）と連通して第２流出口（226）が第２空間（214）と連通する状態とは、上記第２空間（214）の第２切換部材（252）によって切り換えられるものである。
【００１９】
−作用−
上記第１の発明の切換装置（200）では、四つの空気の流入口（221,…）と、四つの空気の流出口（225,…）とがケーシング（210）に形成される。このケーシング（210）には、切換部材（230,…）が収納される。そして、切換装置（200）は、この切換部材（230,…）がケーシング（210）内を移動することにより、第１状態と第２状態とに切り換わる。
【００２０】
また、上記第１の発明に係る切換装置（200）では、四つ設けられた流入口（221,…）のそれぞれが第１状態と第２状態とで異なる流出口（225,…）と連通する。具体的に、第１流入口（221）は、第１流出口（225）又は第３流出口（227）の何れかと連通する。第２流入口（222）は、第２流出口（226）又は第４流出口（228）の何れかと連通する。第３流入口（223）は、第３流出口（227）又は第１流出口（225）の何れかと連通する。第４流入口（224）は、第４流出口（228）又は第２流出口（226）の何れかと連通する。
【００２１】
上記第２の発明では、直方体状のケーシング（210）において、その六つの側面のうち四つだけに流入口（221,…）又は流出口（225,…）が開口している。従って、このケーシング（210）には、流入口（221,…）や流出口（225,…）の開口しない側面が二つ存在している。
【００２２】
上記第３の発明では、直方体状のケーシング（210）において、その六つの側面のうち四つだけに流入口（221,…）又は流出口（225,…）が開口している。また、この四つの側面のそれぞれには、流入口（221,…）と流出口（225,…）が一つずつ開口している。従って、このケーシング（210）には、流入口（221,…）や流出口（225,…）の開口しない側面が二つ存在している。
【００２３】
上記第４の発明では、直方体状のケーシング（210）において、その六つの側面のうち三つだけに流入口（221,…）又は流出口（225,…）が開口している。従って、このケーシング（210）には、流入口（221,…）や流出口（225,…）の開口しない側面が三つ存在している。
【００２４】
上記第５の発明では、直方体状のケーシング（210）において、その六つの側面のうち二つだけに流入口（221,…）又は流出口（225,…）が開口している。従って、このケーシング（210）には、流入口（221,…）や流出口（225,…）の開口しない側面が四つ存在している。
【００２５】
上記第６の発明では、直方体状のケーシング（210）において、その六つの側面のうち一つだけに流入口（221,…）又は流出口（225,…）が開口している。従って、このケーシング（210）には、流入口（221,…）や流出口（225,…）の開口しない側面が五つ存在している。
【００２６】
上記第７の発明では、直方体状のケーシング（210）において、その六つの側面のうち四つだけに流入口（221,…）又は流出口（225,…）が開口している。この四つの側面のそれぞれには、所定の流入口（221,…）と流出口（225,…）が一つずつ開口している。また、ケーシング（210）の内部には、切換部材（230）が一つだけ収納されている。この切換部材（230）は、回転移動するように構成されている。そして、切換部材（230）が回転移動することで、切換装置（200）の第１状態と第２状態が相互に切り換わる。
【００２７】
上記第８の発明では、直方体状のケーシング（210）において、その六つの側面のうち互いに対向する二つの側面だけに流入口（221,…）又は流出口（225,…）が開口している。また、ケーシング（210）の内部には、切換部材（240,245）が二つ収納されている。第１切換部材（240）と第２切換部材（245）は、共にケーシング（210）内で回転移動するように構成される。
【００２８】
本発明に係る切換装置（200）の第１状態において、第１切換部材（240）は、第１流入口（221）を第１流出口（225）と連通させると共に、第３流入口（223）を第３流出口（227）と連通させる。また、この第１状態において、第２切換部材（245）は、第２流入口（222）を第２流出口（226）と連通させると共に、第４流入口（224）を第４流出口（228）と連通させる。一方、切換装置（200）の第２状態において、第１切換部材（240）は、第１流入口（221）を第３流出口（227）と連通させると共に、第３流入口（223）を第１流出口（225）と連通させる。また、この第２状態において、第２切換部材（245）は、第２流入口（222）を第４流出口（228）と連通させると共に、第４流入口（224）を第２流出口（226）と連通させる。
【００２９】
上記第９の発明では、中空に形成されたケーシング（210）の内部が、第１空間（213）と第２空間（214）に仕切られる。また、ケーシング（210）の内部には、切換部材（251,252）が二つ収納されている。この切換部材（251,252）は、第１空間（213）と第２空間（214）とに一つずつ設置されている。第１空間（213）の第１切換部材（251）と、第２空間（214）の第２切換部材（252）とは、共にケーシング（210）の内側面に沿って移動するように構成されている。
【００３０】
本発明に係る切換装置（200）の第１状態では、第１空間（213）を介して第１流入口（221）が第１流出口（225）と連通し、第１切換部材（251）を介して第３流入口（223）が第３流出口（227）と連通する。また、この第１状態では、第２切換部材（252）を介して第２流入口（222）が第２流出口（226）と連通し、第２空間（214）を介して第４流入口（224）が第４流出口（228）と連通する。
【００３１】
一方、本発明に係る切換装置（200）の第２状態では、第１切換部材（251）を介して第１流入口（221）が第３流出口（227）と連通し、第１空間（213）を介して第３流入口（223）が第１流出口（225）と連通する。また、この第２状態では、第２切換部材（252）を介して第２流入口（222）が第４流出口（228）と連通し、第２空間（214）を介して第４流入口（224）が第２流出口（226）と連通する。
【００３２】
上記第１の発明では、切換装置（200）と調湿装置（150）とを備える調湿システム（100）が構成される。調湿装置（150）では、吸着動作と再生動作とが行われる。吸着動作では、第１空気に含まれる水分が吸着素子（81,82）に吸着され、第１空気が減湿される。一方、再生動作では、加熱された第２空気を送ることによって吸着素子（81,82）から水分が脱離し、吸着素子（81,82）が再生されると共に、吸着素子（81,82）から脱離した水分によって第２空気が加湿される。
【００３３】
本発明に係る調湿システム（100）において、切換装置（200）を第１状態とすれば、除湿運転が可能である。具体的に、室外空気は、切換装置（200）を第１流入口（221）から第１流出口（225）へ通り抜け、調湿装置（150）の第１吸込口（13）へ第１空気として送られる。吸着動作により減湿された第１空気は、第１吹出口（14）を通って調湿装置（150）から流出し、切換装置（200）を第２流入口（222）から第２流出口（226）へ通り抜けて室内へ送られる。室内空気は、切換装置（200）を第３流入口（223）から第３流出口（227）へ通り抜け、調湿装置（150）の第２吸込口（15）へ第２空気として送られる。再生動作により加湿された第２空気は、第２吹出口（16）を通って調湿装置（150）から流出し、切換装置（200）を第４流入口（224）から第４流出口（228）へ通り抜けて室外へ送られる。
【００３４】
また、この調湿システム（100）において、切換装置（200）を第２状態とすれば、加湿運転が可能である。具体的に、室外空気は、切換装置（200）を第１流入口（221）から第３流出口（227）へ通り抜け、調湿装置（150）の第２吸込口（15）へ第２空気として送られる。再生動作により加湿された第２空気は、第２吹出口（16）を通って調湿装置（150）から流出し、切換装置（200）を第４流入口（224）から第２流出口（226）へ通り抜けて室内へ送られる。室内空気は、切換装置（200）を第３流入口（223）から第１流出口（225）へ通り抜け、調湿装置（150）の第１吸込口（13）へ第１空気として送られる。吸着動作により減湿された第１空気は、第１吹出口（14）を通って調湿装置（150）から流出し、切換装置（200）を第２流入口（222）から第４流出口（228）へ通り抜けて室外へ送られる。
【００３５】
【発明の実施の形態１】
以下、本発明の実施形態を図面に基づいて詳細に説明する。尚、以下の説明において、「上」 「下」 「左」 「右」 「前」 「後」 「手前」 「奥」 は、何れも参照する図面におけるものを意味している。
【００３６】
本実施形態１の調湿システム（100）は、切換装置である切換ユニット（200）と、調湿装置である調湿ユニット（150）とをダクトで接続することによって構成されている。そして、この調湿システム（100）は、除湿運転と加湿運転とを相互に切り換え可能に構成されている。
【００３７】
−調湿ユニット−
本実施形態の調湿ユニット（150）について、図１〜図５を参照しながら説明する。
【００３８】
《調湿ユニットの構成》
図１，図４に示すように、上記調湿ユニット（150）は、やや扁平な直方体状のケーシング（10）を備えている。このケーシング（10）には、２つの吸着素子（81,82）と、１つの冷媒回路とが収納されている。そして、この調湿ユニット（150）は、いわゆるバッチ式の動作を行うように構成されている。
【００３９】
図２に示すように、上記吸着素子（81,82）は、正方形状の平板部材（83）と波板部材（84）とを交互に積層して構成されている。波板部材（84）は、隣接する波板部材（84）の稜線方向が互いに９０°ずれる姿勢で積層されている。そして、吸着素子（81,82）は、直方体状あるいは四角柱状に形成されている。つまり、各吸着素子（81,82）は、その端面が平板部材（83）と同様の正方形状に形成されている。
【００４０】
上記吸着素子（81,82）には、平板部材（83）及び波板部材（84）の積層方向において、調湿側通路（85）と冷却側通路（86）とが平板部材（83）を挟んで交互に区画形成されている。吸着素子（81,82）の４つの側面のうち、対向する一対の側面に調湿側通路（85）が開口し、これとは別の対向する一対の側面に冷却側通路（86）が開口している。また、吸着素子（81,82）の端面には、調湿側通路（85）及び冷却側通路（86）の何れも開口していない。調湿側通路（85）に臨む平板部材（83）の表面や、調湿側通路（85）に設けられた波板部材（84）の表面には、水蒸気を吸着するための吸着剤が塗布されている。この種の吸着剤としては、例えばシリカゲル、ゼオライト、イオン交換樹脂等が挙げられる。
【００４１】
上記冷媒回路は、圧縮機（91）と、凝縮器である再生熱交換器（92）と、冷媒の膨張弁と、蒸発器である冷却熱交換器（94）とを順に配管接続して形成された閉回路である。尚、冷媒回路の全体構成及び膨張弁の図示は省略する。この冷媒回路は、充填された冷媒を循環させて、蒸気圧縮式の冷凍サイクルを行うように構成されている。そして、凝縮器として機能する再生熱交換器（92）は、空気を加熱するための加熱器を構成している。
【００４２】
図１，図４に示すように、上記ケーシング（10）において、最も手前側には第１パネル（11）が設けられ、最も奥側には第２パネル（12）が設けられている。第１パネル（11）には、その右上隅部に第１吸込口（13）が形成され、その下部の左寄りに第２吹出口（16）が形成されている。一方、第２パネル（12）には、その右下隅部に第１吹出口（14）が形成され、その左上隅部に第２吸込口（15）が形成されている。
【００４３】
上記ケーシング（10）には、２つの仕切部材（20,30）が収納されている。各仕切部材（20,30）は、ケーシング（10）の長手方向（前後方向）に直交する断面とほぼ同じ形状の長方形板状に形成されている。これら仕切部材（20,30）は、手前から奥に向かって順に立設され、ケーシング（10）の内部空間を前後に仕切っている。また、これら仕切部材（20,30）によって区画されたケーシング（10）の内部空間は、それぞれが更に上下に仕切られている。
【００４４】
第１パネル（11）と第１仕切部材（20）の間には、上側の第１上部流路（51）と下側の第１下部流路（52）とが区画形成されている。第１上部流路（51）は、第１吸込口（13）に連通している。第１下部流路（52）は、第２吹出口（16）に連通している。この第１下部流路（52）における左端の手前側は、区画板（55）によって仕切られて閉空間の機械室（56）を形成している。この機械室（56）には、冷媒回路の圧縮機（91）が設置されている。
【００４５】
第１仕切部材（20）と第２仕切部材（30）の間には、２つの吸着素子（81,82）が左右に並んで設置されている。具体的には、右寄りに第１吸着素子（81）が設けられ、左寄りに第２吸着素子（82）が設けられている。これら吸着素子（81,82）は、それぞれの長手方向がケーシング（10）の長手方向と一致する姿勢で、平行に配置されている。また、図３にも示すように、これら吸着素子（81,82）は、その端面が正方形を４５°傾けた菱形をなす姿勢で設置されている。つまり、各吸着素子（81,82）は、その端面における対角線の一方が互いに一直線上に並ぶような姿勢で設置されている。
【００４６】
更に、第１仕切部材（20）と第２仕切部材（30）の間には、冷媒回路の再生熱交換器（92）と、切換シャッタ（40）とが設置されている。再生熱交換器（92）は、平板状に形成されている。再生熱交換器（92）の前後長は、吸着素子（81,82）の前後長と概ね等しくなっている。この再生熱交換器（92）は、第１吸着素子（81）と第２吸着素子（82）の間に概ね水平姿勢で設置されている。また、再生熱交換器（92）は、各吸着素子（81,82）における端面の中心を互いに結んだ直線上に配置されている。そして、再生熱交換器（92）では、上下方向に空気が貫流する。
【００４７】
切換シャッタ（40）は、シャッタ板（42）と一対の側板（41）とを備え、第２切換機構を構成している。各側板（41）は、何れも半円板状に形成されている。各側板（41）の直径は、再生熱交換器（92）の左右幅とほぼ同じとなっている。この側板（41）は、再生熱交換器（92）における手前側と奥側の端面に沿って１つずつ設けられている。一方、シャッタ板（42）は、一方の側板（41）から他方の側板（41）に亘って延長され、各側板（41）の周縁に沿って湾曲する曲面板状に形成されている。このシャッタ板（42）は、その曲面の中心角が９０°となっており、再生熱交換器（92）の左右方向の半分を覆っている。また、シャッタ板（42）は、側板（41）の周縁に沿って移動するように構成されている。そして、切換シャッタ（40）は、シャッタ板（42）が再生熱交換器（92）の右半分を覆う状態（図３(ａ)を参照）と、シャッタ板（42）が再生熱交換器（92）の左半分を覆う状態（図３(ｂ)を参照）とに切り換わる。
【００４８】
第１仕切部材（20）と第２仕切部材（30）の間は、上下に区画されると同時に、上下の各空間が第１，第２吸着素子（81,82）や切換シャッタ（40）によって左右に仕切られている。具体的に、第１吸着素子（81）の右側には、上側の右上部流路（61）と下側の右下部流路（62）とが区画形成されている。第１吸着素子（81）と第２吸着素子（82）の間の上側では、切換シャッタ（40）の右側の第１中央上部流路（63）と、切換シャッタ（40）の左側の第２中央上部流路（64）とが区画形成されている。第１吸着素子（81）と第２吸着素子（82）の間の下側では、中央下部流路（65）が区画形成されている。第２吸着素子（82）の左側には、上側の左上部流路（66）と下側の左下部流路（67）とが区画形成されている。
【００４９】
上述のように、各吸着素子（81,82）には、調湿側通路（85）及び冷却側通路（86）が形成されている。そして、第１吸着素子（81）は、その調湿側通路（85）が第１中央上部流路（63）及び右下部流路（62）と連通し、その冷却側通路（86）が右上部流路（61）及び中央下部流路（65）と連通する姿勢で設置されている。一方、第２吸着素子（82）は、その調湿側通路（85）が第２中央上部流路（64）及び左下部流路（67）と連通し、その冷却側通路（86）が左上部流路（66）及び中央下部流路（65）と連通する姿勢で設置されている。
【００５０】
第２仕切部材（30）と第２パネル（12）の間には、上側の第２上部流路（53）と下側の第２下部流路（54）とが区画形成されている。第２上部流路（53）は、第２吸込口（15）に連通している。この第２上部流路（53）には、第２ファン（96）が設置されている。一方、第２下部流路（54）は、第１吹出口（14）に連通している。この第２下部流路（54）には、第１ファン（95）と冷却熱交換器（94）とが設置されている。
【００５１】
上記第１仕切部材（20）は、その上半分が第１上部板（21）により構成され、その下半分が第１下部板（24）により構成されている。第１上部板（21）と第１下部板（24）には、それぞれ正方形状の開口が２つずつ形成されている。
【００５２】
第１上部板（21）の開口（22,23）は、第１上部板（21）を左右幅方向に４等分したと仮定した場合において、第１上部板（21）の中央側に位置する２つの部分に形成されている。そして、これら２つの開口（22,23）のうち、右側の開口が第１中央右上開口（22）を構成し、左側の開口が第１中央左上開口（23）を構成している。
【００５３】
第１上部板（21）の各開口（22,23）は、第１中央右上開口（22）が開放されて第１中央左上開口（23）が閉鎖される状態と、第１中央右上開口（22）が閉鎖されて第１中央左上開口（23）が開放される状態とに切り換わる。第１中央右上開口（22）の開放状態では、この第１中央右上開口（22）によって第１上部流路（51）と第１中央上部流路（63）とが連通される。第１中央左上開口（23）の開放状態では、この第１中央左上開口（23）によって第１上部流路（51）と第２中央上部流路（64）とが連通される。
【００５４】
第１下部板（24）の開口（25,26）は、第１下部板（24）を左右幅方向に４等分したと仮定した場合において、第１下部板（24）の左右の端部に位置する部分に１つずつ形成されている。そして、これら２つの開口（25,26）のうち、右端側の開口が第１右下開口（25）を構成し、左端側の開口が第１左下開口（26）を構成している。
【００５５】
第１下部板（24）の各開口（25,26）は、第１右下開口（25）が開放されて第１左下開口（26）が閉鎖される状態と、第１右下開口（25）が閉鎖されて第１左下開口（26）が開放される状態とに切り換わる。第１右下開口（25）の開放状態では、この第１右下開口（25）によって右下部流路（62）と第１下部流路（52）とが連通される。第１左下開口（26）の開放状態では、この第１左下開口（26）によって左下部流路（67）と第１下部流路（52）とが連通される。
【００５６】
上記第２仕切部材（30）は、その上半分が第２上部板（31）により構成され、その下半分が第２下部板（34）により構成されている。第２上部板（31）と第２下部板（34）には、それぞれ正方形状の開口が２つずつ形成されている。
【００５７】
第２上部板（31）の開口（32,33）は、第２上部板（31）を左右幅方向に４等分したと仮定した場合において、第２上部板（31）の左右の端部に位置する部分に１つずつ形成されている。そして、これら２つの開口（32,33）のうち、右側の開口が第２右上開口（32）を構成し、左側の開口が第２左上開口（33）を構成している。
【００５８】
第２上部板（31）の各開口（32,33）は、第２右上開口（32）が開放されて第２左上開口（33）が閉鎖される状態と、第２右上開口（32）が閉鎖されて第２左上開口（33）が開放される状態とに切り換わる。第２右上開口（32）の開放状態では、この第２右上開口（32）によって右上部流路（61）と第２上部流路（53）とが連通される。第２左上開口（33）の開放状態では、この第２左上開口（33）によって左上部流路（66）と第２上部流路（53）とが連通される。
【００５９】
第２下部板（34）の開口（35,36）は、第２下部板（34）を左右幅方向に４等分したと仮定した場合において、第２下部板（34）の左右の端部に位置する部分に１つずつ形成されている。そして、これら２つの開口（35,36）のうち、右端側の開口が第２右下開口（35）を構成し、左端側の開口が第２左下開口（36）を構成している。
【００６０】
第２下部板（34）の各開口（35,36）は、第２右下開口（35）が開放されて第２左下開口（36）が閉鎖される状態と、第２右下開口（35）が閉鎖されて第２左下開口（36）が開放される状態とに切り換わる。第２右下開口（35）の開放状態では、この第２右下開口（35）によって第２下部流路（54）と右下部流路（62）とが連通される。第２左下開口（36）の開放状態では、この第２左下開口（36）によって第２下部流路（54）と左下部流路（67）とが連通される。
【００６１】
《調湿ユニットの運転動作》
上記調湿ユニット（150）の運転動作について、図３〜図５を参照しながら説明する。尚、図３は、ケーシング（10）内における第１仕切部材（20）と第２仕切部材（30）の間の部分を、模式的に図示したものである。
【００６２】
図４，図５に示すように、第１ファン（95）を駆動すると、第１空気が第１吸込口（13）を通って第１上部流路（51）へ流入する。一方、第２ファン（96）を駆動すると、第２空気が第２吸込口（15）を通って第２上部流路（53）へ流入する。また、冷媒回路では、再生熱交換器（92）を凝縮器とし、冷却熱交換器（94）を蒸発器として冷凍サイクルが行われる。そして、上記調湿ユニット（150）は、第１動作と第２動作とを交互に繰り返して行う。
【００６３】
第１動作について、図３，図４を参照しながら説明する。この第１動作では、第１吸着素子（81）についての吸着動作と、第２吸着素子（82）についての再生動作とが同時に行われる。つまり、第１吸着素子（81）で第１空気が減湿されると同時に、第２吸着素子（82）が第２空気によって再生される。
【００６４】
第１上部板（21）では、第１中央右上開口（22）が開放され、第１中央左上開口（23）が閉鎖されている。この状態で、第１上部流路（51）へ流入した第１空気は、第１中央右上開口（22）を通って第１中央上部流路（63）へ流入する。
【００６５】
第２上部板（31）では、第２右上開口（32）が開放され、第２左上開口（33）が閉鎖されている。この状態で、第２上部流路（53）へ流入した第２空気は、第２右上開口（32）を通って右上部流路（61）へ流入する。
【００６６】
切換シャッタ（40）では、シャッタ板（42）が再生熱交換器（92）の右半分を覆う位置へ移動している。この状態では、中央下部流路（65）と第２中央上部流路（64）とが再生熱交換器（92）を介して連通する。
【００６７】
図３(ａ)にも示すように、第１中央上部流路（63）の第１空気は、第１吸着素子（81）の調湿側通路（85）へ流入する。この調湿側通路（85）を流れる間に、第１空気に含まれる水蒸気が吸着剤に吸着される。つまり、この調湿側通路（85）では、第１空気が減湿される。第１吸着素子（81）で減湿された第１空気は、右下部流路（62）へ流入する。
【００６８】
一方、右上部流路（61）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央下部流路（65）へ流入する。中央下部流路（65）の第２空気は、再生熱交換器（92）を通過して第２中央上部流路（64）へ流入する。その際、再生熱交換器（92）では、第２空気が冷媒との熱交換を行って冷媒の凝縮熱を吸熱する。
【００６９】
第１吸着素子（81）及び再生熱交換器（92）で加熱された第２空気は、第２吸着素子（82）の調湿側通路（85）へ導入される。この調湿側通路（85）では、第２空気によって吸着剤が加熱され、吸着剤から水蒸気が脱離する。そして、第２吸着素子（82）の再生が行われると同時に、吸着剤から脱離した水蒸気によって第２空気が加湿される。この調湿側通路（85）で加湿された第２空気は、その後に左下部流路（67）へ流入する。
【００７０】
第２下部板（34）では、第２右下開口（35）が開放され、第２左下開口（36）が閉鎖されている。この状態で、右下部流路（62）の第１空気は、第２右下開口（35）を通って第２下部流路（54）へ流入する。第２下部流路（54）を流れる間に、第１空気は冷却熱交換器（94）を通過する。冷却熱交換器（94）において、第１空気は、冷媒との熱交換を行い、冷媒に対して放熱する。そして、減湿されて冷却された第１空気は、第１吹出口（14）を通ってケーシング（10）から送り出される。
【００７１】
第１下部板（24）では、第１左下開口（26）が開放され、第１右下開口（25）が閉鎖されている。この状態で、左下部流路（67）へ流入した第２空気は、第１左下開口（26）を通って第１下部流路（52）へ流入する。そして、加熱されて加湿された第２空気は、第２吹出口（16）を通ってケーシング（10）から送り出される。
【００７２】
第２動作について、図５を参照しながら説明する。この第２動作では、第１動作時とは逆に、第２吸着素子（82）についての吸着動作と、第１吸着素子（81）についての再生動作とが同時に行われる。つまり、第２吸着素子（82）で第１空気が減湿されると同時に、第１吸着素子（81）が第２空気によって再生される。
【００７３】
第１上部板（21）では、第１中央左上開口（23）が開放され、第１中央右上開口（22）が閉鎖されている。この状態で、第１上部流路（51）へ流入した第１空気は、第１中央左上開口（23）を通って第２中央上部流路（64）へ流入する。
【００７４】
第２上部板（31）では、第２左上開口（33）が開放され、第２右上開口（32）が閉鎖されている。この状態で、第２上部流路（53）へ流入した第２空気は、第２左上開口（33）を通って左上部流路（66）へ流入する。
【００７５】
切換シャッタ（40）では、シャッタ板（42）が再生熱交換器（92）の左半分を覆う位置へ移動している。この状態では、中央下部流路（65）と第１中央上部流路（63）とが再生熱交換器（92）を介して連通する。
【００７６】
図３(ｂ)にも示すように、第２中央上部流路（64）の第１空気は、第２吸着素子（82）の調湿側通路（85）へ流入する。この調湿側通路（85）を流れる間に、第１空気に含まれる水蒸気が吸着剤に吸着される。つまり、この調湿側通路（85）では、第１空気が減湿される。第２吸着素子（82）で減湿された第１空気は、左下部流路（67）へ流入する。
【００７７】
一方、左上部流路（66）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央下部流路（65）へ流入する。中央下部流路（65）の第２空気は、再生熱交換器（92）を通過して第１中央上部流路（63）へ流入する。その際、再生熱交換器（92）では、第２空気が冷媒との熱交換を行って冷媒の凝縮熱を吸熱する。
【００７８】
第２吸着素子（82）及び再生熱交換器（92）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われると同時に、吸着剤から脱離した水蒸気によって第２空気が加湿される。この調湿側通路（85）で加湿された第２空気は、その後に右下部流路（62）へ流入する。
【００７９】
第２下部板（34）では、第２左下開口（36）が開放され、第２右下開口（35）が閉鎖されている。この状態で、左下部流路（67）の第１空気は、第２左下開口（36）を通って第２下部流路（54）へ流入する。第２下部流路（54）を流れる間に、第１空気は冷却熱交換器（94）を通過する。冷却熱交換器（94）において、第１空気は、冷媒との熱交換を行い、冷媒に対して放熱する。そして、減湿されて冷却された第１空気は、第１吹出口（14）を通ってケーシング（10）から送り出される。
【００８０】
第１下部板（24）では、第１右下開口（25）が開放され、第１左下開口（26）が閉鎖されている。この状態で、右下部流路（62）へ流入した第２空気は、第１右下開口（25）を通って第１下部流路（52）へ流入する。そして、加熱されて加湿された第２空気は、第２吹出口（16）を通ってケーシング（10）から送り出される。
【００８１】
−調湿システム及び切換ユニット−
本実施形態の調湿システム（100）及び切換ユニット（200）について、図６，図７を参照しながら説明する。
【００８２】
《調湿システム及び切換ユニットの構成》
図７に示すように、切換ユニット（200）は、中空で箱状のケーシング（210）を備えている。このケーシング（210）は、その上面及び下面が正方形となる扁平な直方体状に形成されている。このケーシング（210）において、その四つの側面には、それぞれ流入口と流出口が一つずつ形成されている。
【００８３】
同図において、ケーシング（210）の奥側の側面では、右寄りの位置に第１流入口（221）が開口し、左寄りの位置に第４流出口（228）が開口している。また、ケーシング（210）の左側の側面では、奥側の位置に第２流入口（222）が開口し、手前側の位置に第３流出口（227）が開口している。また、ケーシング（210）の手前側の側面では、左寄りの位置に第３流入口（223）が開口し、右寄りの位置に第２流出口（226）が開口している。また、ケーシング（210）の右側の側面では、手前側の位置に第４流入口（224）が開口し、奥側の位置に第１流出口（225）が開口している。
【００８４】
図６に示すように、箱状のケーシング（210）には、一つの切換部材（230）が収納されている。この切換部材（230）は、円板状に形成されている。切換部材（230）の直径は、ケーシング（210）の上面又は下面の一辺の長さと概ね等しくなっている。また、切換部材（230）の厚みは、ケーシング（210）の高さと概ね等しくなっている。
【００８５】
切換部材（230）には、第１内側通路（231）と、第２内側通路（232）と、第１外側通路（233）と、第２外側通路（234）とが形成されている。第１内側通路（231）と第２内側通路（232）の間の仕切り（235）は、切換部材（230）の直径に沿って形成されている。そして、第１内側通路（231）及び第２内側通路（232）は、円板状の切換部材（230）をその直径方向へ横断するように形成され、それぞれの両端が切換部材（230）の周側面に開口している。第１外側通路（233）は、切換部材（230）の半径方向における第１内側通路（231）の外側に形成され、切換部材（230）の周側面に開口している。第２外側通路（234）は、切換部材（230）の半径方向における第２内側通路（232）の外側に形成され、切換部材（230）の周側面に開口している。つまり、この切換部材（230）において、第１内側通路（231）及び第１外側通路（233）と第２内側通路（232）及び第２外側通路（234）とは、仕切り（235）を挟んで対称に配置されている。
【００８６】
この切換部材（230）は、その中心軸がケーシング（210）の中心軸と一致する状態で設置されている。また、切換部材（230）は、その中心軸周りに９０°だけ回転移動するように構成されている。そして、切換部材（230）が回転することによって、切換ユニット（200）は、切換部材（230）の直径に沿って延びる仕切り（235）がケーシング（210）の上面や下面の一方の対角線に沿う第１状態と、その仕切り（235）がケーシング（210）の上面や下面の他方の対角線に沿う第２状態とに切り換わる。
【００８７】
図６(ａ)に示すように、切換ユニット（200）の第１状態では、第１外側通路（233）を介して第１流入口（221）と第１流出口（225）が、第２内側通路（232）を介して第２流入口（222）と第２流出口（226）が、第２外側通路（234）を介して第３流入口（223）と第３流出口（227）が、第１内側通路（231）を介して第４流入口（224）と第４流出口（228）がそれぞれ互いに連通する。
【００８８】
一方、図６(ｂ)に示すように、切換ユニット（200）の第２状態では、第２内側通路（232）を介して第１流入口（221）と第３流出口（227）が、第２外側通路（234）を介して第２流入口（222）と第４流出口（228）が、第１内側通路（231）を介して第３流入口（223）と第１流出口（225）が、第１外側通路（233）を介して第４流入口（224）と第２流出口（226）がそれぞれ互いに連通する。
【００８９】
上述のように、本実施形態の調湿システム（100）では、切換ユニット（200）と調湿ユニット（150）が互いにダクトを介して接続されている。具体的に、切換ユニット（200）の第１流出口（225）は、調湿ユニット（150）の第１吸込口（13）に接続されている。切換ユニット（200）の第２流入口（222）は、調湿ユニット（150）の第１吹出口（14）に接続されている。切換ユニット（200）の第３流出口（227）は、調湿ユニット（150）の第２吸込口（15）に接続されている。切換ユニット（200）の第４流入口（224）は、調湿ユニット（150）の第２吹出口（16）に接続されている。また、この切換ユニット（200）は、第１流入口（221）及び第４流出口（228）がダクトを介して室外と連通し、第３流入口（223）及び第２流出口（226）がダクトを介して室内と連通している。
【００９０】
《除湿運転》
調湿システム（100）の除湿運転について、図６(ａ)を参照しながら説明する。この除湿運転時には、切換ユニット（200）が第１状態に設定される。
【００９１】
切換ユニット（200）の第１流入口（221）へは、換気用の給気として室外空気が流入する。この室外空気は、切換部材（230）の第１外側通路（233）を流れ、第１流出口（225）を通って切換ユニット（200）から送り出される。その後、この室外空気は、調湿ユニット（150）の第１吸込口（13）へ送られる。
【００９２】
調湿ユニット（150）は、第１吸込口（13）へ送り込まれた室外空気を第１空気として取り込み、この第１空気を吸着素子（81,82）で減湿する。減湿後の第１空気は、第１吹出口（14）を通って調湿ユニット（150）から流出し、切換ユニット（200）の第２流入口（222）へ送り込まれる。この第２流入口（222）へ流入した第１空気は、切換部材（230）の第２内側通路（232）を流れ、第２流出口（226）を通って切換ユニット（200）から送り出される。そして、この第２流出口（226）を通過した減湿後の第１空気が、室内へ供給される。
【００９３】
一方、切換ユニット（200）の第３流入口（223）へは、換気用の排気として室内空気が流入する。この室内空気は、切換部材（230）の第２外側通路（234）を流れ、第３流出口（227）を通って切換ユニット（200）から送り出される。その後、この室内空気は、調湿ユニット（150）の第２吸込口（15）へ送られる。
【００９４】
調湿ユニット（150）は、第２吸込口（15）へ送り込まれた室内空気を第２空気として取り込み、この第２空気を用いて吸着素子（81,82）を再生する。その後、第２空気は、第２吹出口（16）を通って調湿ユニット（150）から流出し、切換ユニット（200）の第４流入口（224）へ送り込まれる。この第４流入口（224）へ流入した第２空気は、切換部材（230）の第１内側通路（231）を流れ、第４流出口（228）を通って切換ユニット（200）から送り出される。そして、この第４流出口（228）を通過した第２空気が、室外へ排出される。
【００９５】
《加湿運転》
調湿システム（100）の加湿運転について、図６(ｂ)を参照しながら説明する。この加湿運転時には、切換ユニット（200）が第２状態に設定される。
【００９６】
切換ユニット（200）の第１流入口（221）へは、換気用の給気として室外空気が流入する。この室外空気は、切換部材（230）の第２内側通路（232）を流れ、第３流出口（227）を通って切換ユニット（200）から送り出される。その後、この室外空気は、調湿ユニット（150）の第２吸込口（15）へ送られる。
【００９７】
調湿ユニット（150）は、第２吸込口（15）へ送り込まれた室外空気を第２空気として取り込み、この第２空気を用いて吸着素子（81,82）を再生する。その際、第２空気は、吸着素子（81,82）から脱離した水蒸気によって加湿される。加湿後の第２空気は、第２吹出口（16）を通って調湿ユニット（150）から流出し、切換ユニット（200）の第４流入口（224）へ送り込まれる。この第４流入口（224）へ流入した第２空気は、切換部材（230）の第１外側通路（233）を流れ、第２流出口（226）を通って切換ユニット（200）から送り出される。そして、この第２流出口（226）を通過した加湿後の第２空気が、室内へ供給される。
【００９８】
一方、切換ユニット（200）の第３流入口（223）へは、換気用の排気として室内空気が流入する。この室内空気は、切換部材（230）の第１内側通路（231）を流れ、第１流出口（225）を通って切換ユニット（200）から送り出される。その後、この室内空気は、調湿ユニット（150）の第１吸込口（13）へ送られる。
【００９９】
調湿ユニット（150）は、第１吸込口（13）へ送り込まれた室内空気を第１空気として取り込み、この第１空気に含まれる水分を吸着素子（81,82）に吸着させる。水分を奪われた第１空気は、第１吹出口（14）を通って調湿ユニット（150）から流出し、切換ユニット（200）の第２流入口（222）へ送り込まれる。この第２流入口（222）へ流入した第１空気は、切換部材（230）の第２外側通路（234）を流れ、第４流出口（228）を通って切換ユニット（200）から送り出される。そして、この第４流出口（228）を通過した第１空気が、室外へ排出される。
【０１００】
−実施形態１の効果−
本実施形態の切換ユニット（200）によれば、四つの異なる空気の流通経路を、それぞれ二通りに切り換えることができる。このため、空気の取込先や供給先を切り換えるための機構が設けられない調湿ユニット（150）を用いる場合であっても、この調湿ユニット（150）に切換ユニット（200）を組み合わせることで、除湿運転と加湿運転を切り換えて行うことが可能となる。つまり、調湿ユニット（150）の構成を簡素に維持しながら、除湿運転と加湿運転の両方が必要な場合にだけ調湿ユニット（150）に切換ユニット（200）を組合せ、除加湿の切り換えを可能とすることができる。従って、本実施形態によれば、調湿ユニット（150）と組み合わされる切換ユニット（200）を提供することで、調湿ユニット（150）の使い勝手を向上させることができる。
【０１０１】
また、本実施形態の切換ユニット（200）では、切換部材（230）を一つだけ用いて第１状態と第２状態の切り換えを行っている。従って、本実施形態によれば、切換ユニット（200）を最も少数の部材で構成することができ、切換ユニット（200）の簡素化や小型化を図ることができる。
【０１０２】
【発明の実施の形態２】
本発明の実施形態２は、上記実施形態１の調湿システム（100）において、切換ユニット（200）の構成を変更したものである。ここでは、本実施形態の切換ユニット（200）について、図８，図９を参照しながら説明する。
【０１０３】
図９に示すように、切換ユニット（200）は、中空で箱状のケーシング（210）を備えている。このケーシング（210）は、扁平な直方体状に形成されている。ケーシング（210）の内部は、その長手方向の中央で二つの空間に仕切られている。同図に示すケーシング（210）の内部において、奥側の空間が第１内部空間（211）を構成し、手前側の空間が第２内部空間（212）を構成している。また、このケーシング（210）において、それぞれ四つの流入口（221,…）と流出口（225,…）は、その左右の側面に形成されている。
【０１０４】
同図において、ケーシング（210）の左側面では、手前から奥へ向かって順に、第２流入口（222）と第４流出口（228）と第３流出口（227）と第１流入口（221）とが開口している。一方、ケーシング（210）の右側面では、手前から奥へ向かって順に、第２流出口（226）と第４流入口（224）と第３流入口（223）と第１流出口（225）とが開口している。また、第１内部空間（211）と第２内部空間（212）の間の仕切りは、ケーシング（210）の長手方向における第４流入口（224）と第３流入口（223）の間から第４流出口（228）と第３流出口（227）の間に亘って設けられている。
【０１０５】
図８に示すように、本実施形態のケーシング（210）には、二つの切換部材（240,245）が収納されている。具体的に、ケーシング（210）内の第１内部空間（211）には、第１切換部材（240）が収納されている。また、ケーシング（210）内の第２内部空間（212）には、第２切換部材（245）が収納されている。各切換部材（240,245）は、それぞれが円板状に形成されている。各切換部材（240,245）の直径は、ケーシング（210）の左右幅の長さと概ね等しくなっている。また、各切換部材（240,245）の厚みは、ケーシング（210）の高さと概ね等しくなっている。
【０１０６】
各切換部材（240,245）には、第１通路（241,246）と第２通路（242,247）とが形成されている。各切換部材（240,245）において、第１通路（241,246）と第２通路（242,247）の間の仕切り（243,248）は、切換部材（240,245）の直径に沿って形成されている。そして、第１通路（241,246）及び第２通路（242,247）は、円板状の切換部材（240,245）をその直径方向へ横断するように形成され、それぞれの両端が切換部材（240,245）の周側面に開口している。つまり、各切換部材（240,245）において、第１通路（241,246）と第２通路（242,247）とは、仕切り（243,248）を挟んで対称に配置されている。
【０１０７】
各切換部材（240,245）は、それぞれ中心軸がケーシング（210）の高さ方向と一致する状態で設置されている。また、各切換部材（240,245）は、それぞれが中心軸周りに９０°だけ回転移動するように構成されている。そして、切換ユニット（200）は、各切換部材（240,245）が回転することによって、第１状態と第２状態とに切り換わる。
【０１０８】
図８(ａ)に示すように、切換ユニット（200）の第１状態では、第１切換部材（240）の第１通路（241）を介して第１流入口（221）と第１流出口（225）が、第１切換部材（240）の第２通路（242）を介して第３流入口（223）と第３流出口（227）が、第２切換部材（245）の第１通路（246）を介して第４流入口（224）と第４流出口（228）が、第２切換部材（245）の第２通路（247）を介して第２流入口（222）と第２流出口（226）がそれぞれ互いに連通する。
【０１０９】
一方、図８(ｂ)に示すように、切換ユニット（200）の第２状態では、第１切換部材（240）の第１通路（241）を介して第３流入口（223）と第１流出口（225）が、第１切換部材（240）の第２通路（242）を介して第１流入口（221）と第３流出口（227）が、第２切換部材（245）の第１通路（246）を介して第４流入口（224）と第２流出口（226）が、第２切換部材（245）の第２通路（247）を介して第２流入口（222）と第４流出口（228）がそれぞれ互いに連通する。
【０１１０】
上述のように、本実施形態の切換ユニット（200）では、ケーシング（210）における二つの側面だけに流入口（221,…）又は流出口（225,…）が開口している。従って、この切換ユニット（200）を据え付ける際には、流入口（221,…）や流出口（225,…）の開口しないケーシング（210）の側面が壁などに近接した状態で切換ユニット（200）を設置しても差し支えない。このため、本実施形態によれば、切換ユニット（200）を据え付ける際の制約を小さくでき、切換ユニット（200）の使い勝手を向上させることができる。
【０１１１】
《除湿運転》
調湿システム（100）の除湿運転について、図８(ａ)を参照しながら説明する。この除湿運転時には、切換ユニット（200）が第１状態に設定される。
【０１１２】
切換ユニット（200）の第１流入口（221）へは、換気用の給気として室外空気が流入する。この室外空気は、第１切換部材（240）の第１通路（241）を流れ、第１流出口（225）を通って切換ユニット（200）から送り出される。その後、この室外空気は、調湿ユニット（150）の第１吸込口（13）へ送られる。
【０１１３】
調湿ユニット（150）は、第１吸込口（13）へ送り込まれた室外空気を第１空気として取り込み、この第１空気を吸着素子（81,82）で減湿する。減湿後の第１空気は、第１吹出口（14）を通って調湿ユニット（150）から流出し、切換ユニット（200）の第２流入口（222）へ送り込まれる。この第２流入口（222）へ流入した第１空気は、第２切換部材（245）の第２通路（247）を流れ、第２流出口（226）を通って切換ユニット（200）から送り出される。そして、この第２流出口（226）を通過した減湿後の第１空気が、室内へ供給される。
【０１１４】
一方、切換ユニット（200）の第３流入口（223）へは、換気用の排気として室内空気が流入する。この室内空気は、第１切換部材（240）の第２通路（242）を流れ、第３流出口（227）を通って切換ユニット（200）から送り出される。その後、この室内空気は、調湿ユニット（150）の第２吸込口（15）へ送られる。
【０１１５】
調湿ユニット（150）は、第２吸込口（15）へ送り込まれた室内空気を第２空気として取り込み、この第２空気を用いて吸着素子（81,82）を再生する。その後、第２空気は、第２吹出口（16）を通って調湿ユニット（150）から流出し、切換ユニット（200）の第４流入口（224）へ送り込まれる。この第４流入口（224）へ流入した第２空気は、第２切換部材（245）の第１通路（246）を流れ、第４流出口（228）を通って切換ユニット（200）から送り出される。そして、この第４流出口（228）を通過した第２空気が、室外へ排出される。
【０１１６】
《加湿運転》
調湿システム（100）の加湿運転について、図８(ｂ)を参照しながら説明する。この加湿運転時には、切換ユニット（200）が第２状態に設定される。
【０１１７】
切換ユニット（200）の第１流入口（221）へは、換気用の給気として室外空気が流入する。この室外空気は、第１切換部材（240）の第２通路（242）を流れ、第３流出口（227）を通って切換ユニット（200）から送り出される。その後、この室外空気は、調湿ユニット（150）の第２吸込口（15）へ送られる。
【０１１８】
調湿ユニット（150）は、第２吸込口（15）へ送り込まれた室外空気を第２空気として取り込み、この第２空気を用いて吸着素子（81,82）を再生する。その際、第２空気は、吸着素子（81,82）から脱離した水蒸気によって加湿される。加湿後の第２空気は、第２吹出口（16）を通って調湿ユニット（150）から流出し、切換ユニット（200）の第４流入口（224）へ送り込まれる。この第４流入口（224）へ流入した第２空気は、第２切換部材（245）の第１通路（246）を流れ、第２流出口（226）を通って切換ユニット（200）から送り出される。そして、この第２流出口（226）を通過した加湿後の第２空気が、室内へ供給される。
【０１１９】
一方、切換ユニット（200）の第３流入口（223）へは、換気用の排気として室内空気が流入する。この室内空気は、第１切換部材（240）の第１通路（241）を流れ、第１流出口（225）を通って切換ユニット（200）から送り出される。その後、この室内空気は、調湿ユニット（150）の第１吸込口（13）へ送られる。
【０１２０】
調湿ユニット（150）は、第１吸込口（13）へ送り込まれた室内空気を第１空気として取り込み、この第１空気に含まれる水分を吸着素子（81,82）に吸着させる。水分を奪われた第１空気は、第１吹出口（14）を通って調湿ユニット（150）から流出し、切換ユニット（200）の第２流入口（222）へ送り込まれる。この第２流入口（222）へ流入した第１空気は、第２切換部材（245）の第２通路（247）を流れ、第４流出口（228）を通って切換ユニット（200）から送り出される。そして、この第４流出口（228）を通過した第１空気が、室外へ排出される。
【０１２１】
−実施形態２の変形例−
本実施形態の切換ユニット（200）では、扁平なケーシング（210）の内部を奥側の第１内部空間（211）と手前側の第２内部空間（212）とに仕切る構成を採っているが（図９参照）、これに代えて、次のような構成を採ってもよい。
【０１２２】
つまり、図１０に示すように、ケーシング（210）を各辺の長さが等しい直方体状（即ち立方体状）に形成し、そのケーシング（210）の内部を上下に仕切る構成としてもよい。本変形例において、ケーシング（210）内の上部の空間が第１内部空間（211）を構成し、その下部の空間が第２内部空間（212）を構成する。
【０１２３】
ケーシング（210）の左側面において、その上部では手前から奥へ向かって第３流出口（227）と第１流入口（221）とが順に開口し、その下部では手前から奥へ向かって第２流入口（222）と第４流出口（228）とが順に開口している。ケーシング（210）の右側面において、その上部では手前から奥へ向かって第３流入口（223）と第１流出口（225）とが順に開口し、その下部では手前から奥へ向かって第２流出口（226）と第４流入口（224）とが順に開口している。また、同図には示さないが、第１内部空間（211）には第１切換部材（240）が収納され、第２内部空間（212）には第２切換部材（245）が収納される。
【０１２４】
【発明の実施の形態３】
本発明の実施形態３は、上記実施形態１の調湿システム（100）において、切換ユニット（200）の構成を変更したものである。ここでは、本実施形態の切換ユニット（200）について、図１１，図１２を参照しながら説明する。
【０１２５】
図１２に示すように、切換ユニット（200）は、中空で箱状のケーシング（210）を備えている。このケーシング（210）は、扁平な直方体状に形成されている。ケーシング（210）の内部には、ケーシング（210）の長手方向に対して斜めに延びる仕切板（215）が設けられている。ケーシングの内部は、この仕切板（215）によって二つの空間に区画されている。同図に示すケーシング（210）の内部において、左奥側の空間が第１空間（213）を構成し、右手前側の空間が第２空間（214）を構成している。
【０１２６】
このケーシング（210）において、それぞれ四つの流入口（221,…）と流出口（225,…）は、その左右の側面に形成されている。図１２において、ケーシング（210）の左側面では、手前から奥へ向かって順に、第４流入口（224）と第３流入口（223）と第３流出口（227）と第１流入口（221）とが開口している。一方、ケーシング（210）の右側面では、手前から奥へ向かって順に、第２流出口（226）と第２流入口（222）と第４流出口（228）と第１流出口（225）とが開口している。
【０１２７】
第１流入口（221）、第３流入口（223）、第１流出口（225）、及び第３流出口（227）は、ケーシング（210）の側面のうち第１空間（213）に対応する位置に開口している。このうち、第１流入口（221）と第３流出口（227）と第３流入口（223）とは、互いに等間隔に形成されている。一方、第２流入口（222）、第４流入口（224）、第２流出口（226）、及び第４流出口（228）は、ケーシング（210）の側面のうち第２空間（214）に対応する位置に開口している。このうち、第２流出口（226）と第２流入口（222）と第４流出口（228）とは、互いに等間隔に形成されている。
【０１２８】
図１１に示すように、本実施形態のケーシング（210）には、二つの切換部材が収納されている。具体的に、ケーシング（210）内の第１空間（213）には、第１切換部材（251）が収納されている。また、ケーシング（210）内の第２空間（214）には、第２切換部材（252）が収納されている。各切換部材（251,252）は、それぞれが半円弧形あるいはＵ字形の管状に形成されている。
【０１２９】
第１空間（213）の第１切換部材（251）は、その開口部がケーシング（210）の左側面を向く姿勢で配置され、その左側面に沿って同図の上下にスライドするように構成されている。一方、第２空間（214）の第２切換部材（252）は、その開口部がケーシング（210）の右側面を向く姿勢で配置され、その右側面に沿って同図の上下にスライドするように構成されている。
【０１３０】
本実施形態の切換ユニット（200）において、第１流出口（225）は、常に第１空間（213）と連通している。また、第１切換部材（251）が移動することにより、第１流入口（221）と第３流入口（223）は、一方が第１空間（213）に連通して他方が第３流出口（227）に連通する状態と、一方が第３流出口（227）に連通して他方が第１空間（213）に連通する状態とに切り換わる。
【０１３１】
更に、この切換ユニット（200）において、第４流入口（224）は、常に第２空間（214）と連通している。また、第２切換部材（252）が移動することにより、第２流出口（226）と第４流出口（228）は、一方が第２空間（214）に連通して他方が第２流入口（222）に連通する状態と、一方が第２流入口（222）に連通して他方が第２空間（214）に連通する状態とに切り換わる。そして、切換ユニット（200）は、第１及び第２切換部材（251,252）が移動することによって、第１状態と第２状態とに切り換わる。
【０１３２】
図１１(ａ)に示すように、切換ユニット（200）の第１状態では、第１空間（213）を介して第１流入口（221）と第１流出口（225）が、第１切換部材（251）を介して第３流入口（223）と第３流出口（227）が、第２空間（214）を介して第４流入口（224）と第４流出口（228）が、第２切換部材（252）を介して第２流入口（222）と第２流出口（226）がそれぞれ互いに連通する。
【０１３３】
一方、図１１(ｂ)に示すように、切換ユニット（200）の第２状態では、第１空間（213）を介して第３流入口（223）と第１流出口（225）が、第１切換部材（251）を介して第１流入口（221）と第３流出口（227）が、第２空間（214）を介して第４流入口（224）と第２流出口（226）が、第２切換部材（252）を介して第２流入口（222）と第４流出口（228）がそれぞれ互いに連通する。
【０１３４】
上述のように、本実施形態の切換ユニット（200）では、ケーシング（210）における二つの側面だけに流入口（221,…）又は流出口（225,…）が開口している。従って、この切換ユニット（200）を据え付ける際には、流入口（221,…）や流出口（225,…）の開口しないケーシング（210）の側面が壁などに近接した状態で切換ユニット（200）を設置しても差し支えない。このため、本実施形態によれば、切換ユニット（200）を据え付ける際の制約を小さくでき、切換ユニット（200）の使い勝手を向上させることができる。
【０１３５】
《除湿運転》
調湿システム（100）の除湿運転について、図１１(ａ)を参照しながら説明する。この除湿運転時には、切換ユニット（200）が第１状態に設定される。
【０１３６】
切換ユニット（200）の第１流入口（221）へは、換気用の給気として室外空気が流入する。この室外空気は、第１空間（213）内を流れ、第１流出口（225）を通って切換ユニット（200）から送り出される。その後、この室外空気は、調湿ユニット（150）の第１吸込口（13）へ送られる。
【０１３７】
調湿ユニット（150）は、第１吸込口（13）へ送り込まれた室外空気を第１空気として取り込み、この第１空気を吸着素子（81,82）で減湿する。減湿後の第１空気は、第１吹出口（14）を通って調湿ユニット（150）から流出し、切換ユニット（200）の第２流入口（222）へ送り込まれる。この第２流入口（222）へ流入した第１空気は、第２切換部材（252）の内部を流れ、第２流出口（226）を通って切換ユニット（200）から送り出される。そして、この第２流出口（226）を通過した減湿後の第１空気が、室内へ供給される。
【０１３８】
一方、切換ユニット（200）の第３流入口（223）へは、換気用の排気として室内空気が流入する。この室内空気は、第１切換部材（251）の内部を流れ、第３流出口（227）を通って切換ユニット（200）から送り出される。その後、この室内空気は、調湿ユニット（150）の第２吸込口（15）へ送られる。
【０１３９】
調湿ユニット（150）は、第２吸込口（15）へ送り込まれた室内空気を第２空気として取り込み、この第２空気を用いて吸着素子（81,82）を再生する。その後、第２空気は、第２吹出口（16）を通って調湿ユニット（150）から流出し、切換ユニット（200）の第４流入口（224）へ送り込まれる。この第４流入口（224）へ流入した第２空気は、第２空間（214）内を流れ、第４流出口（228）を通って切換ユニット（200）から送り出される。そして、この第４流出口（228）を通過した第２空気が、室外へ排出される。
【０１４０】
《加湿運転》
調湿システム（100）の加湿運転について、図１１(ｂ)を参照しながら説明する。この加湿運転時には、切換ユニット（200）が第２状態に設定される。
【０１４１】
切換ユニット（200）の第１流入口（221）へは、換気用の給気として室外空気が流入する。この室外空気は、第１切換部材（251）の内部を流れ、第３流出口（227）を通って切換ユニット（200）から送り出される。その後、この室外空気は、調湿ユニット（150）の第２吸込口（15）へ送られる。
【０１４２】
調湿ユニット（150）は、第２吸込口（15）へ送り込まれた室外空気を第２空気として取り込み、この第２空気を用いて吸着素子（81,82）を再生する。その際、第２空気は、吸着素子（81,82）から脱離した水蒸気によって加湿される。加湿後の第２空気は、第２吹出口（16）を通って調湿ユニット（150）から流出し、切換ユニット（200）の第４流入口（224）へ送り込まれる。この第４流入口（224）へ流入した第２空気は、第２空間（214）内を流れ、第２流出口（226）を通って切換ユニット（200）から送り出される。そして、この第２流出口（226）を通過した加湿後の第２空気が、室内へ供給される。
【０１４３】
一方、切換ユニット（200）の第３流入口（223）へは、換気用の排気として室内空気が流入する。この室内空気は、第１空間（213）内を流れ、第１流出口（225）を通って切換ユニット（200）から送り出される。その後、この室内空気は、調湿ユニット（150）の第１吸込口（13）へ送られる。
【０１４４】
調湿ユニット（150）は、第１吸込口（13）へ送り込まれた室内空気を第１空気として取り込み、この第１空気に含まれる水分を吸着素子（81,82）に吸着させる。水分を奪われた第１空気は、第１吹出口（14）を通って調湿ユニット（150）から流出し、切換ユニット（200）の第２流入口（222）へ送り込まれる。この第２流入口（222）へ流入した第１空気は、第２切換部材（252）の内部を流れ、第４流出口（228）を通って切換ユニット（200）から送り出される。そして、この第４流出口（228）を通過した第１空気が、室外へ排出される。
【０１４５】
−実施形態３の変形例１−
本実施形態の切換ユニット（200）では、ケーシング（210）における左右の側面に流入口（221,…）や流出口（225,…）を形成する構成を採っているが、これに代えて、次のような構成を採ってもよい。
【０１４６】
つまり、図１３，図１４に示すように、第１流出口（225）をケーシング（210）の奥側の側面に形成し、第４流入口（224）をケーシング（210）の手前側の側面に形成してもよい。本変形例においても、第１流出口（225）は常に第１空間（213）と連通しており、第４流入口（224）は常に第２空間（214）と連通している。このように、本変形例の切換ユニット（200）では、ケーシング（210）の四つの側面に流入口（221,…）や流出口（225,…）が開口している。
【０１４７】
−実施形態３の変形例２−
本実施形態の切換ユニット（200）では、ケーシング（210）の長手方向に対して斜めに延びる仕切板（215）を設け、この仕切板（215）によってケーシング（210）内を第１空間（213）と第２空間（214）に区画する構成を採っているが、これに代えて、次のような構成を採ってもよい。
【０１４８】
つまり、図１５，図１６に示すように、ケーシング（210）の長手方向に延びる仕切板（215）を設け、この仕切板（215）によってケーシング（210）内を左右に仕切るようにしてもよい。本変形例の切換ユニット（200）において、ケーシング（210）内の左側の空間が第１空間（213）を構成し、この第１空間（213）に第１切換部材（251）が収納される。また、ケーシング（210）の右側の空間が第２空間（214）を構成し、この第２空間（214）に第２切換部材（252）が収納される。尚、第１切換部材（251）及び第２切換部材（252）の構成や機能は、上記実施形態のものと同様である。
【０１４９】
更に、本変形例の切換ユニット（200）において、第１流出口（225）は、ケーシング（210）の手前側の側面における左寄りの位置に開口している。また、第４流入口（224）は、ケーシング（210）の手前側の側面における右寄りの位置に開口している。本変形例においても、第１流出口（225）は常に第１空間（213）と連通しており、第４流入口（224）は常に第２空間（214）と連通している。このように、本変形例の切換ユニット（200）では、ケーシング（210）の三つの側面に流入口（221,…）や流出口（225,…）が開口している。
【０１５０】
−実施形態３の変形例３−
上記変形例２の切換ユニット（200）では、扁平なケーシング（210）の内部を仕切板（215）によって左右に区画しているが、これに代えて、次のような構成を採ってもよい。
【０１５１】
つまり、図１７に示すように、左右幅よりも高さの方が長い直方体状にケーシング（210）を形成し、このケーシング（210）の内部を仕切板（215）によって上下に区画してもよい。本変形例の切換ユニット（200）において、ケーシング（210）内の下側の空間が第１空間（213）を構成し、この第１空間（213）に第１切換部材（251）が収納される。また、ケーシング（210）の上側の空間が第２空間（214）を構成し、この第２空間（214）に第２切換部材（252）が収納される。尚、第１切換部材（251）及び第２切換部材（252）の構成や機能は、上記実施形態のものと同様である。
【０１５２】
同図に示す切換ユニット（200）において、第２流出口（226）と第２流入口（222）と第４流出口（228）とは、ケーシング（210）の右側面における上部に、手前から奥へ向かって順に開口している。また、第３流入口（223）と第３流出口（227）と第１流入口（221）とは、ケーシング（210）の左側面における下部に、手前から奥へ向かって順に開口している。また、ケーシング（210）の手前側の側面において、その下部には第１流出口（225）が開口し、その上部には第４流入口（224）が開口している。尚、本変形例においても、第１流出口（225）は常に第１空間（213）と連通しており、第４流入口（224）は常に第２空間（214）と連通している。
【０１５３】
また、本変形例の切換ユニット（200）において、ケーシング（210）には、次に示す位置に流入口（221,…）や流出口（225,…）を形成してもよい。
【０１５４】
先ず、図１８に示すように、第１流出口（225）をケーシング（210）の右側面の下部に形成し、第４流入口（224）をケーシング（210）の左側面の上部に形成してもよい。この場合、ケーシング（210）では、その対向する二つの側面に流入口（221,…）や流出口（225,…）が開口する。
【０１５５】
次に、図１９に示すように、第３流入口（223）と第３流出口（227）と第１流入口（221）とを、ケーシング（210）の右側面における下部に、手前から奥へ向かって順に形成してもよい。この場合、ケーシング（210）では、隣接する二つの側面に流入口（221,…）や流出口（225,…）が開口する。
【０１５６】
更に、図２０に示すように、第３流入口（223）と第３流出口（227）と第１流入口（221）とを、ケーシング（210）の右側面における下部に、手前から奥へ向かって順に形成すると共に、第１流出口（225）をケーシング（210）の左側面の下部に形成し、第４流入口（224）をケーシング（210）の左側面の上部に形成してもよい。この場合、ケーシング（210）では、その対向する二つの側面に流入口（221,…）や流出口（225,…）が開口する。
【０１５７】
−実施形態３の変形例４−
上記変形例２の切換ユニット（200）では、扁平なケーシング（210）の内部を仕切板（215）によって左右に区画しているが、これに代えて、次のような構成を採ってもよい。
【０１５８】
つまり、図２１，図２２に示すように、奥行きが長くて細長い直方体状にケーシング（210）を形成し、このケーシング（210）の内部を仕切板（215）によって図２２における前後に区画してもよい。
【０１５９】
図２２に示す本変形例の切換ユニット（200）において、ケーシング（210）内の奥側の空間が第１空間（213）を構成し、その手前側の空間が第２空間（214）を構成する。また、同図において、ケーシング（210）の右側面には、手前から奥へ向かって順に、第４流入口（224）、第２流出口（226）、第２流入口（222）、第４流出口（228）、第１流出口（225）、第３流入口（223）、第３流出口（227）、及び第１流入口（221）が開口している。このように、本変形例のケーシング（210）では、一つの側面だけに流入口（221,…）や流出口（225,…）が開口している。
【０１６０】
第１空間（213）と第２空間（214）を仕切る仕切板（215）は、ケーシング（210）の長手方向における第４流出口（228）と第１流出口（225）の間に位置している。そして、本変形例においても、第１流出口（225）は常に第１空間（213）と連通しており、第４流入口（224）は常に第２空間（214）と連通している。
【０１６１】
図２１に示すように、本変形例においても、ケーシング（210）内の第１空間（213）に第１切換部材（251）が収納され、その第２空間（214）に第２切換部材（252）が収納されている。尚、第１切換部材（251）及び第２切換部材（252）の構成や機能は、上記実施形態のものと同様である。
【０１６２】
また、本変形例の切換ユニット（200）では、次のような構成を採ってもよい。つまり、図２３に示すように、左右幅よりも高さの方が長い直方体状にケーシング（210）を形成し、このケーシング（210）の内部を仕切板（215）によって上下に区画してもよい。
【０１６３】
この切換ユニット（200）において、ケーシング（210）内の下側の空間が第１空間（213）を構成し、この第１空間（213）に第１切換部材（251）が収納される。また、ケーシング（210）の上側の空間が第２空間（214）を構成し、この第２空間（214）に第２切換部材（252）が収納される。尚、第１切換部材（251）及び第２切換部材（252）の構成や機能は、上記実施形態のものと同様である。
【０１６４】
同図に示す切換ユニット（200）において、第１流出口（225）と第３流入口（223）と第３流出口（227）と第１流入口（221）とは、ケーシング（210）の右側面における下部に、手前から奥へ向かって順に開口している。また、第４流入口（224）と第２流出口（226）と第２流入口（222）と第４流出口（228）とは、ケーシング（210）の右側面における上部に、手前から奥へ向かって順に開口している。そして、本変形例においても、第１流出口（225）は常に第１空間（213）と連通しており、第４流入口（224）は常に第２空間（214）と連通している。
【０１６５】
【発明のその他の実施の形態】
上記の各実施形態の調湿ユニット（150）では、二つの吸着素子（81,82）を用いてバッチ式の動作を行う構成を採っているが、これに代えて、次のような構成を採ってもよい。つまり、円板状に形成されたロータ形の吸着素子を設け、この吸着素子を回転駆動する構成としてもよい。この場合、円板状の吸着素子では、その一部分を第１空気が通過し、残りの部分を加熱後の第２空気が通過する。そして、吸着素子の一部分についての吸着動作と、その残りの部分についての再生動作とが、同時に並行して行われる。
【０１６６】
また、上記の各実施形態の調湿ユニット（150）では、加熱器としての再生熱交換器（92）を冷媒回路に接続し、この再生熱交換器（92）を凝縮器として機能させることによって第２空気を加熱しているが、これに代えて、次のような構成を採ってもよい。つまり、再生熱交換器（92）へ温水を導入し、この温水との熱交換によって第２空気を加熱するようにしてもよい。
【０１６７】
【発明の効果】
本発明に係る切換装置（200）によれば、四つの異なる空気の流通経路を、それぞれ二通りに切り換えることができる。このため、例えば四つの異なる空気（即ち、減湿される前後の第１空気と加湿される前後の第２空気）が出入りする調湿装置（150）と切換装置（200）を組み合わせた場合には、調湿装置（150）に出入りする四種類の空気の流通経路を切換装置（200）によって個別に切り換えることが可能となる。従って、本発明によれば、調湿装置（150）との組合せによって除湿と加湿の両方を可能とする切換装置（200）を提供でき、調湿装置（150）の使い勝手などを向上させることができる。
【０１６８】
特に、上記第７の発明では、切換部材（230）を一つだけ用いて第１状態と第２状態の切り換えを行っている。従って、本発明によれば、切換装置（200）を最も少数の部材で構成することができ、切換装置（200）の簡素化や小型化を図ることができる。
【０１６９】
また、本発明では、切換装置（200）を調湿装置（150）と組み合わせることによって、調湿システム（100）を構成している。従って、本発明によれば、調湿装置（150）自体の構成が複雑化するのを回避しながら、調湿システム（100）全体としては除湿運転と加湿運転との切り換えが可能となる。
【図面の簡単な説明】
【図１】  実施形態１における調湿ユニットの構成を示す概略斜視図である。
【図２】  実施形態１における調湿ユニットの吸着素子を示す概略斜視図である。
【図３】  実施形態１における調湿ユニットの要部を示す模式図である。
【図４】  実施形態１における調湿ユニットの第１動作を示す分解斜視図である。
【図５】  実施形態１における調湿ユニットの第２動作を示す分解斜視図である。
【図６】  実施形態１における調湿システムの全体構成及び切換ユニットの構成を示す概略平面図である。
【図７】  実施形態１における切換ユニットを示す概略斜視図である。
【図８】  実施形態２における調湿システムの全体構成及び切換ユニットの構成を示す概略平面図である。
【図９】  実施形態２における切換ユニットを示す概略斜視図である。
【図１０】  実施形態２の変形例における切換ユニットを示す概略斜視図である。
【図１１】  実施形態３における調湿システムの全体構成及び切換ユニットの構成を示す概略平面図である。
【図１２】  実施形態３における切換ユニットを示す概略斜視図である。
【図１３】  実施形態３の変形例１における切換ユニットの構成を示す概略平面図である。
【図１４】  実施形態３の変形例１における切換ユニットを示す概略斜視図である。
【図１５】  実施形態３の変形例２における切換ユニットの構成を示す概略平面図である。
【図１６】  実施形態３の変形例２における切換ユニットを示す概略斜視図である。
【図１７】  実施形態３の変形例３における切換ユニットを示す概略斜視図である。
【図１８】  実施形態３の変形例３における切換ユニットを示す概略斜視図である。
【図１９】  実施形態３の変形例３における切換ユニットを示す概略斜視図である。
【図２０】  実施形態３の変形例３における切換ユニットを示す概略斜視図である。
【図２１】  実施形態３の変形例４における切換ユニットの構成を示す概略平面図である。
【図２２】  実施形態３の変形例４における切換ユニットを示す概略斜視図である。
【図２３】  実施形態３の変形例４における切換ユニットを示す概略斜視図である。
【符号の説明】
（13）  第１吸込口
（14）  第１吹出口
（15）  第２吸込口
（16）  第２吹出口
（81）  第１吸着素子
（82）  第２吸着素子
（92）  再生熱交換器（加熱器）
（150） 調湿ユニット（調湿装置）
（200） 切換ユニット（切換装置）
（210） ケーシング
（213） 第１空間
（214） 第２空間
（221） 第１流入口
（222） 第２流入口
（223） 第３流入口
（224） 第４流入口
（225） 第１流出口
（226） 第２流出口
（227） 第３流出口
（228） 第４流出口
（230） 切換部材
（240） 第１切換部材
（245） 第２切換部材
（251） 第１切換部材
（252） 第２切換部材
【図１】
0004165102.tif 000002
【図２】
0004165102.tif 000003
【図３】
0004165102.tif 000004
【図４】
0004165102.tif 000005
【図５】
0004165102.tif 000006
【図６】
0004165102.tif 000007
【図７】
0004165102.tif 000008
【図８】
0004165102.tif 000009
【図９】
0004165102.tif 000010
【図１０】
0004165102.tif 000011
【図１１】
0004165102.tif 000012
【図１２】
0004165102.tif 000013
【図１３】
0004165102.tif 000014
【図１４】
0004165102.tif 000015
【図１５】
0004165102.tif 000016
【図１６】
0004165102.tif 000017
【図１７】
0004165102.tif 000018
【図１８】
0004165102.tif 000019
【図１９】
0004165102.tif 000020
【図２０】
0004165102.tif 000021
【図２１】
0004165102.tif 000022
【図２２】
0004165102.tif 000023
【図２３】
0004165102.tif 000024